(57)【特許請求の範囲】
【請求項１】
建物の外周部分に配置され、供給された水が風の導入方向と対向する鉛直面に沿って糸水状に流下するように誘導して散水カーテンを形成し、該散水カーテンを通過させることにより、建物に導入される風を水の蒸散作用によって冷却してから建物の内部に送り込むようにする散水カーテン形成装置であって、
前記風の導入方向と対向する鉛直面に沿って上下方向に間隔をおいて平行に配置されると共に、水平方向に延設する複数の棒状部材からなる散水ルーバーと、該散水ルーバーの直上部分に配置され、最上段の前記棒状部材の上端部に向けて水を供給する複数の散水孔を有する給水散水部材とからなり、
且つ前記棒状部材は、下半分が、下端角部を中央部分に配置した二等辺三角形の断面形状を備えている散水カーテン形成装置。
【請求項２】
前記散水ルーバーを構成する棒状部材は、上下方向に１０〜３００ｍｍの幅を有すると共に、前後方向に１０〜３００ｍｍの幅を有する状態で、上下方向に１０〜３００ｍｍの間隔をおいて平行に配置される請求項１に記載の散水カーテン形成装置。
【請求項３】
前記散水ルーバーを構成する棒状部材は、正方形の断面形状を備えており、一方の対角方向を鉛直方向に沿わせると共に、他方の対角方向を水平方向に沿わせた状態で取り付けられる請求項１又は２に記載の散水カーテン形成装置。
【請求項４】
前記散水ルーバーを構成する棒状部材は、建物の外周部分の底盤部から立設する支柱に端部が支持固定された状態で取り付けられる請求項１〜３のいずれかに記載の散水カーテン形成装置。
【発明の詳細な説明】
【技術分野】
【０００１】
本発明は、散水カーテン形成装置に関し、特に、風の導入方向と対向する鉛直面に沿って散水カーテンを形成し、この散水カーテンを通過させることにより、建物に導入される風を冷却してから建物の内部に送り込むようにする散水カーテン形成装置に関する。
【背景技術】
【０００２】
気温や湿度などの外部の気候要素は季節や時刻とともに大きく変動するものであり、外部の気候要素のままでは住宅の屋内環境は快適とはいえず、何等かの対策が必要である。電気による冷暖房設備のなかった時代の日本の伝統的な民家では、特に夏場における過し易さに配慮して、日射を遮る厚い屋根や、深い軒や庇を設けると共に、開口を大きく形成して容易に通風が得られるようにするといった工夫がなされていた。
【０００３】
一方、近年の住宅では、充実した冷暖房設備によって、夏は涼しく、冬は暖かい快適な屋内環境が得られるようになっており、さらに住宅の高断熱化や高気密化を図ることによって、エネルギー消費を削減する工夫もなされている。
【０００４】
また、近年の住宅では、高断熱化や高気密化を図った場合でも、冷暖房設備の稼動によるエネルギー消費は年々増加の傾向にあり、地球温暖化などの環境問題を引き起こす要因の一つにもなっている。このようなことから、高断熱化や高気密化が図られた住宅等の建物においても、風による自然の恵みを利用して、より一層の省エネルギー化に寄与できるようにする工夫がなされている（例えば、特許文献１参照）。
【特許文献１】特開２００７−１３２１５４号公報
【特許文献２】特開２００４−３６０２９２号公報
【特許文献３】特開２００７−２８４９０１号公報
【発明の開示】
【発明が解決しようとする課題】
【０００５】
特許文献１に記載の建物は、春や秋等の気候が良い季節に、建物の内部に導入した外気によって、いわゆるセントラル換気装置を用いることなく、建物の内部の喚気を効率良く行えるようにしたものであるが、エネルギー消費をさらに削減できるように、日本の伝統的な民家の如く、必要に応じて建物の内部に通風をより積極的に取り込み、例えば夏場の暑い時期に自然の通風による涼が効果的に得られるようにして、冷房装置を使用しなくても暑さをしのげるようにすることのできる新たな技術の開発が望まれている。
【０００６】
また、例えば夏場の暑い時期においては、近年のヒートアイランド現象等の影響によって、通風を得るための風が生暖かい風となっている場合が多く、生暖かい風のまま建物の内部に取り込んでも、涼しさを感じることができない。したがって、例えば夏場の暑い時期に、生暖かい風を冷却した状態で建物の内部に送り込めるようにする工夫が必要である。
【０００７】
一方、建物の屋根や外壁に散水することによって建物を冷却する技術が開発されているが（例えば、特許文献２、特許文献３参照）、これらはいずれも、建物の屋根や外壁に沿って流下させた水の蒸散作用によって建物自体を直接冷却するものであり、建物の内部に送り込まれる風を冷却するためには、新たな技術の開発が必要である。特に、建物の内部に送り込まれる風を散水によって冷却するには、散水された水が風によって煽られて、広範囲にわたって飛散しないようにする必要がある。
【０００８】
本発明は、建物の内部に送り込まれる風を散水によって冷却して、涼しい風として導入することを可能にする散水カーテン形成装置を提供することを目的とする。
【課題を解決するための手段】
【０００９】
本発明は、建物の外周部分に配置され、供給された水が風の導入方向と対向する鉛直面に沿って糸水状に流下するように誘導して散水カーテンを形成し、該散水カーテンを通過させることにより、建物に導入される風を水の蒸散作用によって冷却してから建物の内部に送り込むようにする散水カーテン形成装置であって、前記風の導入方向と対向する鉛直面に沿って上下方向に間隔をおいて平行に配置されると共に、水平方向に延設する複数の棒状部材からなる散水ルーバーと、該散水ルーバーの直上部分に配置され、最上段の前記棒状部材の上端部に向けて水を供給する複数の散水孔を有する給水散水部材とからなり、且つ前記棒状部材は、下半分が、下端角部を中央部分に配置した二等辺三角形の断面形状を備えている散水カーテン形成装置を提供することにより、上記目的を達成したものである。
【００１０】
そして、本発明の散水カーテン形成装置は、前記散水ルーバーを構成する棒状部材が、上下方向に１０〜３００ｍｍの幅を有すると共に、前後方向に１０〜３００ｍｍの幅を有する状態で、上下方向に１０〜３００ｍｍの間隔をおいて平行に配置されていることが好ましい。
【００１１】
また、本発明の散水カーテン形成装置は、前記散水ルーバーを構成する棒状部材が正方形の断面形状を備えており、一方の対角方向を鉛直方向に沿わせると共に、他方の対角方向を水平方向に沿わせた状態で取り付けらていることが好ましい。
【００１２】
さらに、本発明の散水カーテン形成装置は、前記散水ルーバーを構成する棒状部材が、建物の外周部分の底盤部から立設する支柱に端部を支持固定した状態で取り付けられていることが好ましい。
【発明の効果】
【００１３】
本発明の散水カーテン形成装置によれば、建物の内部に送り込まれる風を散水によって冷却して、涼しい風として導入することができる。
【発明を実施するための最良の形態】
【００１４】
本発明の好ましい一実施形態に係る散水カーテン形成装置１０は、図１〜図４に示すように、建物２０として、例えば東側居住部１１と西側居住部１２との間に南側が開口面となった中庭１４が設けられた２階建ての木造の住宅建築物において、建物２０の外周部分として例えば中庭１４の入口部分に設置され、供給された水を通風方向と対向する鉛直面に沿って糸水状に下方に流下させるように誘導して、散水カーテンを形成するために用いられる。
【００１５】
すなわち、本実施形態では、建物２０は、自然環境を考慮して、例えば中庭１４の北側部分の北側居住部１３が中庭１４に面した１．５層分の高さの吹抜け部１５等を備えることにより、北側居住部１３を通過する通風路Ｗ1，Ｗ2が効果的に形成されるようになっている。また北側居住部１３は、冷暖房設備を特に使用しなくても、夏に涼しさが、冬に温かさが感じられるように形成されていると共に、例えば夏場の暑い時期に、建物の内部に南側からの風を積極的に取り込んで、自然の通風による涼が効果的に得られるように形成されている。
【００１６】
本実施形態の散水カーテン形成装置１０は、中庭１４による北側居住部１３への通風路Ｗ1，Ｗ2の流入口部分に設けられて、中庭１４に取り込んだ南側からの風を、形成した散水カーテンを通過させ、水の蒸散作用を利用して冷却した後に北側居住部１３に送り込むことを可能にして、北側居住部１３を、夏場においてより効果的に涼を感じられる居住空間とすることを可能にするものである。
【００１７】
そして、本実施形態の散水カーテン形成装置１０は、建物２０の外周部分として、例えば中庭１４による通風路Ｗ1，Ｗ2の流入口部分に設けられ、供給された水が風の導入方向と対向する鉛直面に沿って糸水状に下方に流下するように誘導して散水カーテンを形成し、この散水カーテンを通過させることにより、建物２０に導入される風を水の蒸散作用によって冷却してから建物２０の内部に送り込むようにする装置であって、図５及び図６（ａ）〜（ｃ）にも示すように、風の導入方向と対向する鉛直面に沿って上下方向に間隔をおいて平行に配置されると共に、水平方向に延設する複数の棒状部材２１からなる散水ルーバー２２と、散水ルーバー２２の直上部分に配置され、最上段の棒状部材２１の上端部に向けて水を供給する複数の散水孔２３を有する給水散水部材２４とによって構成されており、且つ棒状部材２１は、下半分が、下端角部を中央部分に配置した二等辺三角形の断面形状を備えている。
【００１８】
本実施形態では、建物２０の１階部分の間取りとして、例えば図２に示すように、西側居住部１２の南側部分に位置して、玄関ポーチ４８から出入り可能な玄関６２が設けられており、玄関６２の西側には土間６３が設けられている。玄関６２の北側には、１階ホール２６が設けられており、１階ホール２６の北側には２階への階段２７が設けられている。１階ホール２６の西側には、土間６３の北側に位置して、和室２８が設けられており、和室２８の北側には、西側居住部１２の北西の角部に位置して、洗面室２９やトイレ３０が設けられている。
【００１９】
また、西側居住部１２のホール２６及び階段２７の東側に隣接して、東側居住部１１との間に、北側居住部１３の１階部分を構成する涼温室３１が設けられている。この涼温室３１は、その南側の部分が、中庭１４に面した１．５層分の天井高さの吹抜け部１５となっており、その北側の部分が、北側の外壁１７によって外部から仕切られた１層分の天井高さの補助室部３２となっている。
【００２０】
さらに、涼温室３１を挟んで西側居住部１２とは反対側に位置する東側居住部１１の１階部分には、その南側にリビングダイニングキッチン３３が、涼温室３１及び中庭１４の東側に隣接して設けられており、リビングダイニングキッチン３３の北側には、洗面室、浴室、トイレ等を含む水廻り室３４が、涼温室３１の東側に隣接して設けられている。
【００２１】
本実施形態では、西側居住部１２に設けられた階段２７を介して１階部分から昇降する建物１０の２階部分の間取りとして、例えば図３に示すように、西側居住部１２の階段２７の南側部分に２階ホール３５が設けられており、階段２７及び２階ホール３５の西側に隣接して、第１洋室３６が設けられている。また、２階ホール３５の南側の端部と連設して、小屋裏収納３７が、１階部分の土間６３の上方に配置されて設けられている。さらに、１階部分の玄関ポーチ４８の上方の部分は、２階ホール３５の南側の端部から出入り可能な第１バルコニー部３８となっている。さらにまた、本実施形態では、玄関ポーチ４８及び第１バルコニー部３８の東側の面を中庭１４から仕切るようにして、仕切り壁３９が、玄関６２及び２階ホール３５の東側の面に沿うように連続して、第１バルコニー部３８よりも０．５層分高くなる高さで設けられている。
【００２２】
また、西側居住部１２の２階ホール３５及び階段２７の東側に隣接して、東側居住部１１との間には、北側居住部１３の北側の部分に、作業室４０が、１階部分の補助室部３２の上方に配置されて設けられている。また作業室４０の南側の部分は、涼温室３１の吹抜け部１５の吹き抜け空間となっていると共に、吹抜け部１５の上方を覆って、スキップ床１６が設けられることになる（図４参照）。
【００２３】
さらに、作業室４０を挟んで西側居住部１２とは反対側に位置する東側居住部１１の２階部分には、その北側に第２洋室４１が設けられており、第２洋室４１の南側には、当該第２洋室４１から出入り可能な、ウォークインクロゼット４２及び屋根裏部屋１８への階段４６を備える第３洋室４３が設けられている。また第３洋室４３の南側には、当該第３洋室４３から出入り可能な第２バルコニー部４４が設けられており、この第２バルコニー部４４の外周部分は、０．５層分の高さの手摺壁４５によって囲まれている。
【００２４】
ここで、本実施形態では、第２バルコニー部４４の南側の面から西側居住部１２の仕切り壁３９に渡って、第１バルコニー部３８及び第２バルコニー部４４の床部と略同じ高さ位置に、中庭１４の入り口部分を梁状に横断する給水パラペット４７が設けられている。この給水パラペット４７は、内部に散水カーテン形成装置１０を構成する給水散水部材２４を備えている。また給水パラペット４７の内部に設けられた給水散水部材２４は、例えば建物２０に配管された水道管等と接続しており、開閉バルブを操作して、上述の散水ルーバー２２の上方に例えば水道水を供給し、複数の散水孔２３から適宜散水を行うことができるようになっている（図１、図５参照）。
【００２５】
本実施形態では、第３洋室４３に設けられた階段４６を介して東側居住部１１の２階部分から昇降する北側居住部１３の屋根裏部屋１８には、図４及び図１に示すように、１階部分の涼温室３１の吹抜け部１５を覆うスキップ床１６が、中庭１４の北側端部に張り出して設けられている。また、屋根裏部屋１８は、その上部を屋根裏部分にドーム形状に食い込ませることにより、略１層分の高さを確保して、居住者が立ったまま動ける空間を形成している。
【００２６】
屋根裏部屋１８の作業室４０の上方に位置する北側の部分は、スキップ床１６よりも０．５層分高くなった段部４９となっている。この段部４９の床面は、作業室４０の天井面と共に、格子部材５１によって形成されており、これらの格子部材５１の間隔部分を介して、作業室４０から屋根裏部屋１８に向う通風が得られるようになっている。また、段部４９の直上部分に位置する屋根１９の北側部分には、屋根部通風開口５２が、開閉建具によって開閉可能な状態で３箇所に並べて設けられている。さらに、３箇所の屋根部通風開口５２のうち、一番西側に位置する１箇所の屋根部通風開口５２は、屋根１９から上方に立設して設けられた、上端部分に採光換気装置５３が設置された採光換気塔５４に周囲を覆われて、これの下端部に配置されている。
【００２７】
そして、本実施形態では、東側居住部１１と西側居住部１２とによって挟まれる中庭１４や北側居住部１３が、上述の構成に加えて、例えば下記のような種々の構造を備えることにより、風や太陽による自然環境を効果的に利用して、北側居住部１３を、冷暖房設備を特に使用しなくても、夏に涼しさが感じられると共に冬に温かさが感じられる快適な居住空間とすることができるようになっている。
【００２８】
すなわち、本実施形態では、図１に示すように、中庭１４に面した北側居住部１３の１．５層分の高さの吹抜け部１５には、中庭１４に面した略全域に亘って、大きな面積の通風開口や採光面となる、サッシ枠による開閉可能なガラス戸５５やガラス窓５６が設けられている。また、涼温室３１の補助室部３２の北側の外壁１７には、サッシ枠による開閉可能なガラス窓５７が設けられている。これらによって、中庭１４から北側居住部１３を介して北側の外壁１７を通過する通風路Ｗ1が、開閉可能に形成されることになる。
【００２９】
また、本実施形態では、涼温室３１の吹抜け部１５と作業室４０の下半部分とを仕切る腰壁５８の上端部と、吹抜け部１５の上方のスキップ床１６との間には、細幅開口５９が保持されていると共に、作業室４０の北側の外壁１７には、サッシ枠による開閉可能なガラス窓６０が設けられている。これらによって、中庭１４から北側居住部１３の吹抜け部１５及び作業室４０を介して北側の外壁１７を通過する、通風路Ｗ1が開閉可能に形成されることになる。また、中庭１４から北側居住部１３の吹抜け部１５及び作業室４０を通過した後に、作業室４０の天井部分の格子部材５１を介して屋根裏部屋１８の段部４９に至り、さらに屋根部通風開口５２を通過する通風路Ｗ2が、開閉可能に形成されることになる。
【００３０】
さらに、本実施形態では、屋根裏部屋１８の中庭１４に面する南側の壁面には、屋根１９の軒下部分に配置されて、サッシ枠による開閉可能なガラス窓６１が設けられている。これによって、中庭１４の上部から屋根裏部屋１８を介して段部４９に至り、さらに屋根部通風開口２０を通過する通風路Ｗ3が、開閉可能に形成されることになる。
【００３１】
そして、本実施形態では、中庭１４による通風路Ｗ1，Ｗ2の流入口部分に、図１に示すように、供給した水を通風方向と対向する鉛直面に沿って糸水状に流下させるように誘導して、散水カーテンを形成する散水カーテン形成装置１０が設けられている。散水カーテン形成装置１０は、図５及び図６（ａ）〜（ｃ）にも示すように、中庭１４の入り口部分を梁状に横断する給水パラペット４７の内部に設けられた給水散水部材２４と、散水ルーバー２２とからなる。
【００３２】
給水散水部材２４は、例えば金属製又は合成樹脂製の１０〜３０ｍｍ程度の内径を有する中空パイプ部材からなる。給水散水部材２４は、その少なくとも一端部が建物２０に配管された水道管等に接続されると共に、その外周面に、軸方向に例えば１０〜２００ｍｍ程度のピッチで一列に配置された複数の散水孔２３が開口形成されており、開閉バルブを操作して、供給された水道水を複数の散水孔２３から、これの直下部分に位置する散水ルーバー２２の最上段の棒状部材２１の上端部に向けて適宜散水することができるようになっている。また散水孔２３に公知の各種の散水バルブ等を取り付けておくことにより、散水孔２３からの散水角度や散水方向、散水量等を適宜調節することが可能になる。
【００３３】
散水ルーバー２２は、風の導入方向と対向する鉛直面に沿って上下方向に間隔をおいて平行に配置された、水平に延設する複数の棒状部材２１によって構成される。散水ルーバー２２は、給水散水部材２４の散水孔２３から供給された水を、棒状部材２１に沿わせながら下方に落下させる。また上下の棒状部材２１の間隔部分においては、当該間隔部分を通過する、北側居住部１３に涼風として送り込むのに適した例えば０．７〜６．０ｍ／ｓ程度の風速の風の作用によって、糸水状に落下する水滴や水流が煽られても、相当の幅を有する下段の棒状部材２１の上に落下させて、これらの水滴や水流が散水ルーバー２２が配設された鉛直面から大きく外れることになるのを防止する。これによって、散水ルーバー２２に沿って流下する散水が、広範囲にわたって飛散するのを効果的に防止し、上下方向に間隔をおいて配設した複数の棒状部材２１の各間隔部分に、水滴や水流による糸水状の水の流れを常時生じさせることにより、散水ルーバー２２に沿った散水カーテンを安定した状態で形成することが可能になる。
【００３４】
このようなことから、散水ルーバー２２を構成する棒状部材２１は、上下方向に１０〜３００ｍｍ程度の幅ｂ1を有すると共に、前後方向に１０〜３００ｍｍ程度の幅ｂ2を有する状態で、上下方向に１０〜３００ｍｍ程度の間隔ｓをおいて平行に配置されることが好ましい。棒状部材２１が取り付けられた際の前後方向の幅ｂ2が小さ過ぎると、上下の棒状部材２１の間隔部分において落下する水滴や水流が、風の作用によって煽られ易くなって、散水ルーバー２２が配設された鉛直面から大きく外れ易くなる。前後方向の幅ｂ2が小さ過ぎると、間隔部分に水滴や水流を落下させ難くなる。また、棒状部材２１の上下方向の幅ｂ1が小さ過ぎたり、間隔部分の間隔ｓが広過ぎると、間隔部分において落下する水滴や水流が、風の作用によって煽られや易くなる。棒状部材２１の上下方向の幅ｂ1が大き過ぎたり、間隔部分の間隔ｓが狭過ぎると、北側居住部１３に送り込む風を通過させ難くなる。
【００３５】
本実施形態では、棒状部材２１は、例えばセラミック、金属、合成樹脂等からなると共に、下半分が、下端角部を中央部分に配置した二等辺三角形の断面形状を備える、縦横５５ｍｍ程度の大きさの正方形の中空断面形状を備えている。各棒状部材２１は、好ましくは中庭１４の底盤部から鉛直方向に立設固定して設けられたＨ形鋼による支柱２５に、例えば固定金具６６（（図６（ｂ），（ｃ）参照））や溶接により両端を各々支持固定させて、一方の対角方向を鉛直方向に沿わせると共に、他方の対角方向を水平方向に沿わせた状態で各々取り付けられている。各棒状部材２１を正方形の断面形状に形成すると共に、一方の対角方向を鉛直方向に、他方の対角方向を水平方向に各々沿わせて取り付けることにより、上方から上端角部に向けて供給された散水を両側の斜面に沿って下方に流下させ、下端角部が配置される鉛直面に沿った中央部分に戻してから、散水を下段の棒状部材２１に向けて落下させることが可能になるので、散水ルーバー２２に沿った散水カーテンを、より安定した状態で形成することが可能になる。
【００３６】
これらによって、本実施形態では、複数の棒状部材２１は、上下方向に例えば７７ｍｍ程度の間隔ｓをおいて、１５３ｍｍ程度の中心間ピッチで水平方向に平行に配置して取り付けられることになり、また散水ルーバー２２は、給水パラペット４７の下方において、中庭１４の入口部分を覆って目隠しするようにして、全体として例えば幅が３９００ｍｍ、高さが２４００ｍｍ程度の大きさの矩形の正面形状を有するように設置されることになる。
【００３７】
また、本実施形態では、散水カーテン形成装置１０の背面側に配置されて、中庭１４による通風路Ｗ1，Ｗ2の流入口部分に、植栽５０が施されている。本実施形態では、植栽５０は、好ましくはハナミズキ、ケヤキ等の落葉樹からなり、中庭１４の底盤部に設けた植込み部６４に根付かせた状態で、散水ルーバー２２の背面側に植設されている。
【００３８】
さらに、本実施形態では、中庭１４の底盤部における散水ルーバー２２及び植込み部６４の周囲の部分に、水溜め部６５が設けられている。この水溜め部６５には、散水ルーバー２２に沿って流下してきた散水カーテンからの水が貯留されるようになっている。また、中庭１４の底盤部に水溜め部６５が設けられていることにより、中庭１４に涼しげな雰囲気をもたらすことが可能になると共に、水溜め部６５の水面付近を通過する風を、水の蒸散作用を利用して、涼しい風として北側居住部１３に送り込むことが可能になる。水溜め部６５に貯留された水は、ポンプ装置等を介して汲み上げることにより、給水散水部材２４から供給される水として循環使用することも可能である。
【００３９】
そして、上述の構成を備える本実施形態の散水カーテン形成装置１０によれば、散水された水が風によって煽られて広範囲にわたって飛散するのを回避しつつ、建物２０の北側居住部１３の内部に送り込まれる風を散水によって冷却して、涼しい風として導入することが可能になる。
【００４０】
すなわち、本実施形態によれば、散水カーテン形成装置１０は、風の導入方向と対向する鉛直面に沿って上下方向に間隔をおいて平行に配置されると共に、水平方向に延設する複数の棒状部材２１からなる散水ルーバー２２と、散水ルーバー２２の直上部分に配置され、最上段の棒状部材２１の上端部に向けて水を供給する複数の散水孔２３を有する給水散水部材２４とによって構成されるので、中庭１４に取り込んだ建物２０の南側からの風が生暖かい風であっても、水滴や水流が糸水状に落下する散水ルーバー２２の棒状部材２１の間隔部分を通過させることにより、水の蒸散作用を利用して冷却した後に、北側居住部１３に送り込むことが可能になり、これによって北側居住部１３を、夏場においてより効果的に涼を感じられる居住空間とすることが可能になる。
【００４１】
また、給水散水部材２４から供給された散水よる水は、散水ルーバー２２を構成する複数の棒状部材２１によって案内されて、当該棒状部材２１に沿って下方に流下するので、棒状部材２１の間隔部分を通過する風の作用によって落下する水滴や水流が煽られても、これらの水滴や水流が散水ルーバー２２が配設された鉛直面から大きく外れるのを効果的に防止することが可能になり、これによって散水ルーバー２２に沿って流下する散水が、広範囲にわたって飛散するのを効果的に回避することが可能になる。
【００４２】
なお、本発明は上記実施形態に限定されることなく種々の変更が可能である。例えば、棒状部材は、正方形の中空断面形状を備えている必要は必ずしもなく、中実の断面形状を備えていても良い。例えば、図７（ａ）に示すように、上半分が円形で、下半分が二等辺三角形の断面形状を備える棒状部材６７であっても良く、図７（ｂ）に示すように、開口側を上方に向けたＬ字形の断面形状を備え、上方から供給された散水を一旦貯留した後に溢れさせて、下方に流下させるようにした棒状部材６８であっても良い。また、本発明の散水カーテン形成装置は、中庭が設けられた建物の当該中庭の入口部分に設置される必要は必ずしもなく、その他の種々の建物の外周部分において、風の導入方向と対向する鉛直面に沿って設けることができる。さらに、建物の一階部分に限定されることなく、建物の上階部分に送り込まれる風を冷却するために、本発明の散水カーテン形成装置を用いることもできる。
【図面の簡単な説明】
【００４３】
【図１】本発明の好ましい一実施形態に係る散水カーテン形成装置が設けられた建物の構成を説明する、図２のＡ−Ａに沿った断面図である。
【図２】本発明の好ましい一実施形態に係る散水カーテン形成装置が設けられた建物の構成を説明する、１階部分の間取り図である。
【図３】本発明の好ましい一実施形態に係る散水カーテン形成装置が設けられた建物の構成を説明する、２階部分の間取り図である。
【図４】本発明の好ましい一実施形態に係る散水カーテン形成装置が設けられた建物の構成を説明する、屋根裏部分の間取り図である。
【図５】本発明の好ましい一実施形態に係る散水カーテン形成装置の構成を説明する断面図である。
【図６】（ａ）は好ましい一実施形態に係る散水カーテン形成装置の正面図、（ｂ）は（ａ）のＢ−Ｂに沿った部分破断断面図、（ｃ）は（ａ）のＣ−Ｃに沿った部分破断断面図である。
【図７】（ａ），（ｂ）は、散水ルーバーを構成する棒状部材の他の好ましい形状を例示する断面図である。
【符号の説明】
【００４４】
１０  散水カーテン形成装置
１１  東側居住部
１２  西側居住部
１３  北側居住部
１４  中庭
２０  建物
２１，６７，６８  棒状部材
２２  散水ルーバー
２３  散水孔
２４  給水散水部材
２５  支柱
４７  給水パラペット
６５  水溜め部
Ｗ1，Ｗ2  通風路
【図１】
0005139052.tif 000002
【図２】
0005139052.tif 000003
【図３】
0005139052.tif 000004
【図４】
0005139052.tif 000005
【図５】
0005139052.tif 000006
【図６】
0005139052.tif 000007
【図７】
0005139052.tif 000008